(57)【要約】      （修正有）【課題】着心地や体裁を悪くすることなく、また煩雑な操作を伴うことなく、ドレスのずれ落ちを防止できるずれ落ち防止機能付きドレス及びこれに用いるずれ落ち防止用具を提供する。【解決手段】肩紐を省略してバストの上方の肌全体を露出させるタイプのドレスである。バストを覆う箇所１の内面上部に、下着２と肌との間に挿し込んでドレスのずれ落ちを防止するためのずれ落ち防止用具３を、垂下状に取り付ける。このずれ落ち防止用具３は、帯板状に形成すると共に、一方の端部の近傍位置に、少なくとも１本のスリットを短幅方向に延ばして形成し、一方の端部の外周縁とスリットに、ドレスに縫い付けるための糸を係合させる凹みを形成するのが良い。【選択図】図１
0003195614.tif 000002
【実用新案登録請求の範囲】
【請求項１】
肩紐が省略されてバストの上方の肌全体を露出させるタイプのドレスであって、バストを覆う箇所の内面上部に、下着と肌との間に挿し込んでドレスのずれ落ちを防止するためのずれ落ち防止用具が、垂下状に取り付けられていることを特徴とするずれ落ち防止機能付きドレス。
【請求項２】
請求項１記載のドレスに使用するずれ落ち防止用具であって、帯板状に形成されていると共に、一方の端部の近傍位置に、少なくとも１本のスリットが短幅方向に延ばされて形成され、一方の端部の外周縁とスリットに、ドレスに縫い付けるための糸を係合させる凹みが形成されていることを特徴とするずれ落ち防止用具。
【請求項３】
請求項２記載のずれ落ち防止用具であって、一方の端部の近傍位置に、安全ピンのピン先を収納する留め金を先端部に有する線条部分の嵌め付け箇所が、短幅方向の全長にわたって形成されていることを特徴とするずれ落ち防止用具。
【考案の詳細な説明】
【技術分野】
【０００１】
本考案は、ずれ落ち防止機能付きドレスに関し、更に詳しくは肩紐のないドレスのずれ落ちを防止できるよう形成したドレス及びこのドレスに使用するずれ落ち防止用具に関する。
【背景技術】
【０００２】
従来、例えばウエディングドレスやパーティドレス等においては、肩紐を省略し、バストの上方の肌を完全に露出させるタイプのものがある。この種のドレスは、肩紐がないためバストの上方がすっきりし、人目を引いて注目を浴びることができるが、着付け具合などが悪いと、ドレスがずれ落ち、下着の一部が露出することがある。
【０００３】
従来、この種の問題を解消するものとしては、例えば特許文献１に記載されているものがある。
この従来品は、ドレスの内面の適宜箇所に紐を左右一対状に取り付け、この紐を背中にまわして結び、この紐の締め付け力で、ずれ落ちを防止する構造であった。
【０００４】
しかしながら、この従来品は、紐で胸を締め付け、また背中に紐の結び目が出るのを避けられなかった。
その結果、この従来品を使用すると、着心地が悪くなり、紐の結び操作や結びを解くという煩わしい操作を伴い、またドレスの背中側に結び目が露出するため、体裁が悪い、という問題点があった。
【先行技術文献】
【特許文献】
【０００５】
【特許文献１】実用新案登録第３１４７８１６号公報
【考案の概要】
【考案が解決しようとする課題】
【０００６】
本考案は、このような従来技術の問題点に鑑み、提案されたものである。従って、本考案の解決しようとする技術的課題は、着心地や体裁を悪くすることなく、また煩雑な操作を伴うことなく、ドレスのずれ落ちを防止できるよう形成したドレス及びこのドレスに使用するずれ落ち防止用具を提供することにある。
【課題を解決するための手段】
【０００７】
本考案は、上記の課題を解決するために、次のような技術的手段を採る。
即ち、本考案のドレスは、図１等に示されるように、肩紐が省略されてバストの上方の肌全体を露出させるタイプのドレスであって、バストを覆う箇所１の内面上部に、下着２と肌との間に挿し込んでドレスのずれ落ちを防止するためのずれ落ち防止用具３が、垂下状に取り付けられていることを特徴とする（請求項１）。
【０００８】
本考案の場合、ずれ落ち防止用具３の材質は、例えばプラスチック、木、竹等任意である。またこのずれ落ち防止用具３をドレスに取り付ける手段は、例えば縫い付けたり、安全ピン９等の留め具を利用するなど自由である。またずれ落ち防止用具３は、通常、帯板状に形成されるのが好ましいが、形状や長さは任意である。
【０００９】
而して、本考案のずれ落ち防止用具３は、帯板状に形成されていると共に、一方の端部の近傍位置に、少なくとも１本のスリット４が短幅方向に延ばされて形成され、一方の端部の外周縁５とスリット４に、ドレスに縫い付けるための糸６を係合させる凹み７が形成されているのが好ましい（請求項２）。
【００１０】
なぜならこの場合は、凹み７を利用して位置ずれを起こすことなく、しっかりとドレスに縫い付けることができるからである。
また本考案において、スリット４が複数形成される場合は、スリット４にテープ状の面状材８を通し、この面状材８で安全ピン９をずれ落ち防止用具３に固定できる。従って、これによれば、ずれ落ち防止用具３をドレスの所定位置に安全ピン９で、簡単、迅速に、しかも着脱自在に取り付けることができる、という利点がある。
【００１１】
またこの場合、ずれ落ち防止用具３は、一方の端部の近傍位置に、安全ピン９のピン先を収納する留め金９ａを先端部に有する線条部分９ｂの嵌め付け箇所１０が、短幅方向の全長にわたって形成されているのが好ましい（請求項３）。
【００１２】
なぜならこの場合は、テープ状の面状材８を使用することなく、安全ピン９を本考案品に嵌め付けて使用でき、使い勝手が良くなるからである。
【考案の効果】
【００１３】
本考案は、このようにバストを覆う箇所の内面上部に、下着と肌との間に挿し込んでドレスのずれ落ちを防止するためのずれ落ち防止用具が、垂下状に取り付けられている。
【００１４】
従って、本考案によれば、着付けの巧拙等に影響を受けることなく、また着心地や体裁を悪くすることなく、更には煩雑な操作を伴うことなくドレスのずれ落ちを防止できる。
【図面の簡単な説明】
【００１５】
【図１】本考案の好適な一実施形態を示す使用状態時の要部斜視図である。
【図２】ずれ落ち防止用具を示す正面図である。
【図３】同上用具の平面図である。
【図４】Ａは同上用具の右側面図、Ｂは中央縦断面図である。
【図５】Ａは使用状態時の正面図、ＢはＡのＢ―Ｂ線断面図である。
【図６】Ａは使用状態時の背面図、Ｂは右側面図である。
【図７】本考案の使用状態を示し、ドレスの側方から見た要部側面図である。
【図８】本考案の使用状態を示し、ドレスの裏側から見た要部背面図である。
【図９】同上用具を縫い付けたときのドレスの裏側から見た要部背面図である。
【図１０】図９の事例のドレスの裏側から見た要部背面図である。
【図１１】同上用具の他の実施形態を示し、Ａは正面図、Ｂは使用状態を説明するための中央縦断面図である。
【図１２】同上用具の他の実施形態を示し、Ａは正面図、ＢはＡのＢ―Ｂ線断面図である。
【図１３】図１２の本考案用具において安全ピンを取り付けた状態の平面図である。
【図１４】Ａは図１２の本考案用具において安全ピンを取り付けた状態の正面図、Ｂは要部拡大縦断面図である。
【図１５】同上用具の他の実施形態を示す要部正面図である。
【図１６】同上用具の他の実施形態を示す要部正面図である。
【図１７】同上用具の更に他の実施形態を示し、Ａは使用状態時の右側面図、Ｂは中央縦断面図である。
【考案を実施するための形態】
【００１６】
以下、本考案の好適な一実施形態を、添付図面に従って説明する。
本考案は、図１等に示されるように、肩紐が省略されてバストの上方の肌全体を露出させるタイプのドレスであって、バストを覆う箇所１の内面上部に、下着２と肌との間に挿し込んでドレスのずれ落ちを防止するためのずれ落ち防止用具３が、垂下状に取り付けられている。
【００１７】
本考案のドレスは、この実施形態ではウエディングドレスである。また上記のずれ落ち防止用具３は、バストを覆う箇所１の内面上部の両側に夫々取り付けられている。
【００１８】
またずれ落ち防止用具３は、この実施形態では合成樹脂材で帯板状に形成されている。また図２等に示されるように、ずれ落ち防止用具３は、この実施形態では一方の端部の近傍位置に、同じ長さのスリット４が、３本、短幅方向に平行状に延ばされて三段状に形成されている。
【００１９】
またずれ落ち防止用具３は、同図に示されるように、一方の端部の外周縁５とスリット４に、ドレスに縫い付けるための糸６（図９等参照）を係合させる凹み７が形成されている。この実施形態の場合、凹み７は、上縁に所定の間隔をあけて２個、左右の側縁に１個づつ、また一番上のスリット４の上側内縁に、上縁の凹み７と対応する状態で形成されている。
なお、左右の側縁の凹み７は、一番上のスリット４の側方位置に形成されている。
【００２０】
次に、本考案の使用例を説明する。
先ず、使用者は、図５等に示されるように、スリット４に、例えばシリコン樹脂製のテープ状の面状材８を通し、この面状材８で安全ピン９をずれ落ち防止用具３に固定する。
【００２１】
次に、使用者は、バストを覆う箇所１の内面上部に、安全ピン９を利用して、ずれ落ち防止用具３を垂下状に取り付ける。具体的には、図５等に示されるように、ピン先を収納する留め金９ａを先端部に有する線条部分９ｂを、一番上のスリット４と二番目のスリット４の間に配置し、面状材８を一番上のスリット４と二番目のスリット４に通して押える。そして、面状材８の両端を、一番下のスリット４を介して表側にまとめて垂れ下げる。
【００２２】
次に、使用者は、図１、図７、図８に示されるように、ずれ落ち防止用具３を、下着２と肌との間に挿し込む。これにより、ドレスはその重みで下がっても、本考案用具３によりずれ落ちが防止される。
【００２３】
以上の処において、本考案は、図９、図１０に示されるように、ずれ落ち防止用具３がバストを覆う箇所１の内面上部に糸６で縫い付けられて垂下状に取り付けられているのでも良い。
【００２４】
またずれ落ち防止用具３は、上例ではスリット４が３本形成されているが、本考案はこれに限定されるものではない。
即ち、スリット４は、例えば２本（図１１等参照）でも、１本（図１５等参照）でも良い。スリット４が２本の場合は、例えば面状材８を一方の端部の上縁で返し、両端を下側のスリット４から後側に導いて背面側に垂れ下げることにより、安全ピン９を固定して使用する。
【００２５】
また本考案のずれ落ち防止用具３は、面状材８を使用することなく、安全ピン９を固定できるよう形成されているのでも良い。
即ち、ずれ落ち防止用具３は、図１２に示されるように、一方の端部の近傍位置に、安全ピン９のピン先を収納する留め金９ａを先端部に有する線条部分９ｂの嵌め付け箇所１０が、短幅方向の全長にわたって形成されているのでも良い。
【００２６】
この場合、嵌め付け箇所１０は、この実施形態では上側のスリット４と下側のスリット４の間に、縦断面がＬ字形に形成されている。この本考案の場合は、図１３、図１４に示されるように、使用者は、上記の嵌め付け箇所１０に、安全ピン９の線条部分９ｂを嵌め込んで安全ピン９を本考案品に固定して使用する。
なお、嵌め付け箇所１０は、図１６に示されるように、スリット４が１本の場合の本考案品と組み合わされるのでも良い。
【００２７】
また嵌め付け箇所１０は、上例では、ずれ落ち防止用具３の肉厚に形成されているが、本考案はこれに限定されるものではない。
即ち、本考案の用具３は、図１７に示されるように、短幅方向の全長に渡って突条部１１が前方に突き出されて形成され、この突条部１１の下面に嵌め付け箇所１０が形成されているのでも良い。
【符号の説明】
【００２８】
１    バストを覆う箇所
２    下着
３    ずれ落ち防止用具
４    スリット
５    一方の端部の外周縁
６    糸
７    凹み
８    面状材
９    安全ピン
９ａ  留め金
９ｂ  線条部分
１０  嵌め付け箇所
【図１】
0003195614.tif 000003
【図２】
0003195614.tif 000004
【図３】
0003195614.tif 000005
【図４】
0003195614.tif 000006
【図５】
0003195614.tif 000007
【図６】
0003195614.tif 000008
【図７】
0003195614.tif 000009
【図８】
0003195614.tif 000010
【図９】
0003195614.tif 000011
【図１０】
0003195614.tif 000012
【図１１】
0003195614.tif 000013
【図１２】
0003195614.tif 000014
【図１３】
0003195614.tif 000015
【図１４】
0003195614.tif 000016
【図１５】
0003195614.tif 000017
【図１６】
0003195614.tif 000018
【図１７】
0003195614.tif 000019